(57)【要約】      （修正有）【課題】サウナ室内に新鮮な空気を給気し、サウナ室に空気を対流させ、サウナ室内の汚れた空気を排出するとともに、比較的に狭いサウナ室でも、快適なサウナ環境とすることができるサウナ装置を提供する。【解決手段】サウナ室１０内にサウナストーブ２０を備えたサウナ装置であって、該サウナストーブの近くに給気口３０を設置し、サウナ室内を対流させた空気を、排気筒４０を介して排出口からサウナ室外に排出する。また、平面視において、給気口と排気筒とは、対角の位置に設けられていることが望ましい。さらに、排気筒の取入れ口は、腰掛けの上面にほぼ接近して設けられていることが望ましい。【選択図】図１
0003229179.tif 000002
【実用新案登録請求の範囲】
【請求項１】
サウナ室内にサウナストーブを備えたサウナ装置であって、
該サウナストーブの近くに給気口を設置し、
サウナ室内を対流させた空気を、排気筒を介して排出口からサウナ室外に排出するようにしたことを特徴とするサウナ装置。
【請求項２】
平面視において、
前記給気口と排気筒とは、対角の位置に設けられていることを特徴とする請求項1に記載のサウナ装置。
【請求項３】
前記排気筒の取入れ口は、腰掛けの上面にほぼ接近して設けられていることを特徴とする請求項１又は２に記載のサウナ装置。
【考案の詳細な説明】
【技術分野】
【０００１】
本考案は、サウナ装置に関するものである。
更に詳細には、サウナ室内の空気に対流を生じさせ、風が肌に触れ、体感がとても良くなるサウナ装置に関する。
【背景技術】
【０００２】
従来から、サウナ装置として、室内には腰掛けが設けられ、この腰掛けに入浴者が座り、疲労回復、ストレス解消等の目的で容易に使用することができるものが知られている。
このようなサウナ装置としては、電気ヒーターによる熱源、腰掛け、出入口ドア等を備えた、立方体、直方体、あるいはこれらの形状に類似した形状のサウナ室を備えたものが提供されていた。
このようなサウナ室には、木材が使われているが、常に熱や水蒸気にさらされている環境にあり、次第にサウナ室内の汚れが目立つようになっていた。
そのため、汚れの掃除や壁の取替などをしたりしていたが費用負担が大きかった。
また、サウナ室は密閉空間になり、高温少湿の空気と長時間接触していることで、入浴者には、閉塞感や息苦しさを与えることがあった。
サウナ装置に関して、下記のような先行技術文献がある。
【先行技術文献】
【特許文献】
【０００３】
【特許文献１】特開２００２−３５０８０号公報
【考案の概要】
【考案が解決しようとする課題】
【０００４】
しかし、サウナ装置は、サウナ室が比較的に狭く、空気の流れがない高温少湿の環境に長時間留まると、息苦しさでサウナ室から出たくなる。
また、入浴者の汗や垢、ニオイなどの汚れがサウナ室に付着しやすくなるという問題もあった。
そこで、本考案が解決しようとする課題は、サウナ室内に新鮮な空気を給気し、サウナ室に空気を対流させ、サウナ室内の汚れた空気を排出するとともに、比較的に狭いサウナ室でも、快適なサウナ環境とすることができるサウナ装置を提供することである。
【課題を解決するための手段】
【０００５】
本考案のサウナ装置は以下の特徴を有する。
（１）サウナ室内にサウナストーブを備えたサウナ装置であって、
該サウナストーブの近くに給気口を設置し、
サウナ室内を対流させた空気を、排気筒を介して排出口からサウナ室外に排出するようにしたことを特徴とする。
（２）上記（１）であって、平面視において、前記給気口と排気筒とは、対角の位置に設けられていることを特徴とする。
（３）上記（１）又は（２）であって、前記排気筒の取入れ口は、腰掛けの上面にほぼ接近して設けられていることを特徴とする。
【考案の効果】
【０００６】
本考案のサウナ装置は、サウナ室内の汚れた空気を外部へ排出する排気筒を取り付けたので、積極的に外部に排出することによってサウナ室内の空気を新鮮に保つことができる。
また、サウナ室内の空気に対流を発生させることによって、風の流れが肌に触れ、体感がとても良くなる。
さらに、サウナ室内での息苦しさがなくなり、自然な発汗が多くなり、すこぶる「ととのう」ことになる。
また、排気筒は、平面視で、サウナストーブと対角の位置とすることにより、排気筒をサウナストーブから遠い位置に設置して、暖められた空気をサウナ室内を対流させて、できるだけ長時間、室内にとどめておくことが可能となる。
さらに、排気筒の空気取入れ口を、腰掛けに接近させて設けることにより、入浴者が座る腰掛け付近の淀んだ空気も排出することができる。
【図面の簡単な説明】
【０００７】
【図１】実施形態のサウナ装置の概略を示す正面図である。
【図２】実施形態のサウナ装置の概略を示す平面図である。
【図３】実施形態のサウナ装置における空気対流の状態を示す概略正面図である。
【考案を実施するための形態】
【０００８】
本考案の実施の形態のサウナ装置は、図１の概略正面図、図２の平面図に示すように、サウナ室１０内にサウナストーブ２０を備えたサウナ装置であって、該サウナストーブの近くに給気口３０を設置し、サウナ室１０内を対流させた空気を、排気筒４０を介して排出口４２からサウナ室１０外に排出するようにしたことを特徴とする。
以下、本考案のサウナ装置を詳細に説明する。
【０００９】
＜サウナ室１０＞
図１、図２に示すように、サウナ室１０は、壁面１１、化粧パネル１２、ドア１３、天井１４、床面１５で囲われた直方体の箱型形状である。
実施形態のサウナ室１０の大きさは、内部寸法で、縦（奥行き）１５０ｃｍ、横（幅）２００ｃｍ、高さ１８０ｃｍとした。
また、腰掛け１６を、サウナ室１０内の右側の化粧パネル１２に密着させ、床面から４０ｃｍの高さになるように設置した。
なお、サウナ室１０を構成する材料としては木材が好ましく用いられ、スプルス材、桧材、アバチ材、ダイヤウッド材、パイン材等が、適宜選択される。
なお、壁面１１を構成する材料として、繊維混入珪酸カルシウム板などの不燃材を用いることも好ましい。
【００１０】
＜サウナストーブ２０＞
サウナ装置においては、熱源及びスチーム発生器としてのサウナストーブ２０が、サウナ室１０のドア１１付近の片脇に設置されている。
図２の平面図に示すように、左下隅に示している。
サウナストーブ２０の熱源としては、赤外線または遠赤外線の電気ヒーターが好ましく用いられる。
電気ヒーターで加熱された石の上に水を散布することによって発生したスチームをサウナ室１０に供給することができる。
【００１１】
なお、サウナストーブ２０は、入浴者の接触による火傷を避けるために、その周囲にストーブガード２１などを設置することが好ましい。
【００１２】
＜給気口３０＞
給気口３０は、サウナ室１０内に外部空気を取り入れる開口部である。
サウナ室１０内での酸欠を防止するためである。
なお、給気口３０には、ブロアを設置して強制的に外気を吹き込み、サウナ室１０内で空気の対流を発生させることが好ましい。
【００１３】
実施形態のサウナ装置において、電気ヒーターに２００Ｖの交流電圧を通電してサウナストーブを稼働させ、サウナストーブ内の石に水を散布して、サウナ室１０内にスチームを発散させた。
同時に、給気口３０より新鮮な空気を取り入れた。
サウナ室１０内に空気の対流を発生させた様子を図３に示す。
サウナ室１０内で空気の対流を発生させることにより、風が入浴者の肌に触れ、体感を向上させることができる。
また、サウナ室１０内での息苦しさがなくなり、自然な発汗が多くなり、すこぶる「ととのう」という表現が適切となる。
【００１４】
＜排気筒４０＞
実施形態のサウナ装置においては、サウナ室１０内の汚れた空気を外部に排出するための排気筒が設けられている。
排気筒４０としては、サウナ室１０内の空気を外部に排出できる中空筒状のものであればよく、例えば、口径５ｃｍ程度の円筒などが挙げられる。
実施の形態では、図３に示すように、排気筒４０は給気口３０と対角の位置に示しているが、必ずしも対角位置になくても、給気口３０から遠い位置に設置すればよい。
これにより、サウナストーブ２０で暖められた空気を、サウナ室１０内を対流させて、できるだけ長時間、サウナ室１０内に留めておくことが可能となる。
【００１５】
＜排気筒の排気取入れ口４１＞
前記排気筒の排気取入れ口４１は、腰掛け１６の上面にほぼ接近して設けられている。
例えば、腰掛け１６の座面より１０ｃｍほど上に位置していればよい。
これにより、腰掛け１６の座面に付着した汗などの排気も促進される。
【００１６】
＜排出口４２＞
なお、排気筒４０は、サウナ室１０の天井を突き抜けて屋根にその出口４２が設けられており、サウナ室１０内からの排気を外部に放出するようにしている。
【産業上の利用可能性】
【００１７】
本考案のサウナ室は、サウナ室内に新鮮な空気を給気し、サウナ室に空気を対流させ、サウナ室内の汚れた空気を排出することができる。
このため、比較的に狭いサウナ室でも息苦しさを抑制でき、快適なサウナ環境とすることができるので、産業上の利用可能性が高い。
【符号の説明】
【００１８】
１０  サウナ室
１１  壁面
１２  化粧パネル
１３  ドア
１４  天井
１５  床面
１６  腰掛け
２０  サウナストーブ
２１  ストーブガード
３０  給気口
４０  排気筒
４１  排気取入れ口
４２  排出口
【図１】
0003229179.tif 000003
【図２】
0003229179.tif 000004
【図３】
0003229179.tif 000005